(57)【要約】      （修正有）【課題】デジタル表示式検知距離調整可能なゴミ箱の制御装置を提供する。【解決手段】デジタル表示式検知距離調整可能なゴミ箱の制御装置であって、検知距離調整可能レジスタ４４と、マイクロコンピュータ制御ユニット４５と、デジタル表示管５と、キー６、を備え、キーの入力側は、マイクロコンピュータ制御ユニットと接続し、マイクロコンピュータ制御ユニットの他方の出力側がデジタル表示管と接続し、キーで入力された信号がマイクロコンピュータ制御ユニットによって処理され、検知距離値を得て検知距離調整可能レジスタのレジスタ値とし、同時にマイクロコンピュータ制御ユニットが前記検知距離値または前記検知距離値を表すデジタル情報をデジタル表示管に出力して表示する。【選択図】図１
0003232652.tif 000002
【実用新案登録請求の範囲】
【請求項１】
エミッタと、受信管と、増幅器と、ＡＤコンバータと、ＡＤ変換結果レジスタと、比較ユニットと、検知距離調整可能レジスタと、マイクロコンピュータ制御ユニットと、駆動回路、を備え、受信管は、前記増幅器、前記ＡＤコンバータを介して前記ＡＤ変換結果レジスタに接続され、前記ＡＤ変換結果レジスタおよび前記検知距離調整可能レジスタの出力側は各々前記比較ユニットに接続され、前記マイクロコンピュータ制御ユニットの出力側は前記駆動回路に接続され、前記マイクロコンピュータ制御ユニットの制御側は各々前記ＡＤ変換結果レジスタ、前記比較ユニット、前記検知距離調整可能レジスタおよび前記エミッタに接続されるデジタル表示式検知距離調整可能なゴミ箱の制御装置であって、デジタル表示管と、キーをさらに備え、前記キーの入力側は前記マイクロコンピュータ制御ユニットと接続し、前記マイクロコンピュータ制御ユニットの他方の出力側は前記デジタル表示管と接続し、前記キーで入力された信号は前記マイクロコンピュータ制御ユニットによって処理され、検知距離値を得て前記検知距離調整可能レジスタのレジスタ値とし、同時に前記マイクロコンピュータ制御ユニットが前記検知距離値または前記検知距離値を表すデジタル情報を前記デジタル表示管に出力して表示することを特徴とする、デジタル表示式検知距離調整可能なゴミ箱の制御装置。
【請求項２】
前記キーは、テンキーであり、直接数値を入力することができ、前記入力された数値は、前記マイクロコンピュータ制御ユニットを介して変換処理された後、前記検知距離調整可能レジスタに格納されることを特徴とする、請求項１に記載のデジタル表示式検知距離調整可能なゴミ箱の制御装置。
【請求項３】
前記キーは、選択入力キーであり、このとき、前記検知距離調整可能レジスタに距離を設定するための複数の記憶ユニットを格納するか、前記マイクロコンピュータ制御ユニットに複数の設定距離を格納し、前記キーの操作時、そのキー入力内容または打鍵回数が対応する設定距離を選択できることを特徴とする、請求項１に記載のデジタル表示式検知距離調整可能なゴミ箱の制御装置。
【請求項４】
前記ＡＤコンバータ、前記ＡＤ変換結果レジスタ、前記検知距離調整可能レジスタ、前記比較ユニットおよび前記マイクロコンピュータ制御ユニットは、同じマイクロコンピュータ制御チップに統合され、前記マイクロコンピュータ制御チップは、第１ポート４Ａと、第２ポート４Ｂと、第３ポート４Ｃと、第４ポート４Ｄと、第５ポート４Ｅ、を備え、前記第１ポート４Ａは前記エミッタと接続し、前記第２ポート４Ｂは前記増幅器の出力側と接続し、前記第３ポート４Ｃは前記デジタル表示管と接続し、前記第４ポート４Ｄは前記駆動回路と接続し、前記第５ポート４Ｅは前記キーと接続することを特徴とする、請求項１に記載のデジタル表示式検知距離調整可能なゴミ箱の制御装置。
【請求項５】
前記デジタル表示管は、一桁数字表示器であり、１〜Ｎの数字を表示し、ここで２≦Ｎ≦９であることを特徴とする、請求項１に記載のデジタル表示式検知距離調整可能なゴミ箱の制御装置。
【請求項６】
前記デジタル表示管が１を表示した場合、検知距離が１０ｃｍであることを意味し、前記デジタル表示管が２を表示した場合、検知距離が２０ｃｍであることを意味し、前記デジタル表示管が３を表示した場合、検知距離が３０ｃｍであることを意味し、前記デジタル表示管が４を表示した場合、検知距離が４０ｃｍであることを意味し、前記デジタル表示管が５を表示した場合、検知距離が５０ｃｍであることを意味し、前記デジタル表示管が６を表示した場合、検知距離が６０ｃｍであることを意味し、前記デジタル表示管が７を表示した場合、検知距離が７０ｃｍであることを意味し、前記デジタル表示管が８を表示した場合、検知距離が８０ｃｍであることを意味し、前記デジタル表示管が９を表示した場合、検知距離が９０ｃｍであることを意味することを特徴とする、請求項５に記載のデジタル表示式検知距離調整可能なゴミ箱の制御装置。
【考案の詳細な説明】
【技術分野】
【０００１】
本考案は、生活ゴミ用容器に関し、特に、デジタル表示式検知距離調整可能なゴミ箱の制御装置に関する。
【背景技術】
【０００２】
従来の赤外線検知ゴミ箱の検知距離は、ほとんど調整できない。障害物とセンシングウィンドウとの間の距離が限界検知距離よりも長い場合、センサーをトリガせずに蓋を開けず、障害物とセンシングウィンドウとの間の距離が限界検知距離よりも短い場合、センサーをトリガして蓋を開ける。これは業界では限界検知距離と呼ばれ、検知距離と略称される。現在、市販されている赤外線検知ゴミ箱の検知距離は、手のひらテストで２５ｃｍ程度であるが、実際の応用では、立った状態で使用（検知位置が高く腰を屈めなくてもよいことを望む）する人がおり、座った状態で使用（検知距離が中程度であることを望む）する人もおり、テーブルの下でセンサー式ゴミ箱を使用（検知位置が低く、誤動作を引き起こしにくいことを望む）する人もいる。個々の使用要件が異なるため、単一かつ固定の検知距離技術的手段はもはや市場の個々のニーズを満たすことができない。特許文献１は、検知距離を調整するための技術的手段を提供しているが、調整時に設定キーを押しながら手の距離を検知して設定する必要があり、操作が非常に不便で、センサー自体の揺れや外部環境の影響を受けやすく、調整距離が直感的でなく、ユーザーも簡単に現在の設定距離がわかりにくい。
【先行技術文献】
【特許文献】
【０００３】
【特許文献１】中国特許出願第２０１７１０３０９０８２．１号（発明の名称：検知距離の設定が可能な検知による蓋開閉ゴミ箱およびその制御方法）
【考案の概要】
【考案が解決しようとする課題】
【０００４】
本考案は、このような従来技術の問題点に鑑みてなされたもので、個々のニーズに応じて検知距離を調整でき、操作が簡単、迅速で、直感的なデジタル表示式検知距離調整可能なゴミ箱の制御装置を提供することを目的とする。
【課題を解決するための手段】
【０００５】
本考案では、上記目的を達成するために、次の技術的手段を講じた。
エミッタと、受信管と、増幅器と、ＡＤコンバータと、ＡＤ変換結果レジスタと、比較ユニットと、検知距離調整可能レジスタと、マイクロコンピュータ制御ユニットと、駆動回路、を備え、受信管は増幅器、ＡＤコンバータを介してＡＤ変換結果レジスタに接続され、ＡＤ変換結果レジスタおよび検知距離調整可能レジスタの出力側は各々比較ユニットに接続され、マイクロコンピュータ制御ユニットの出力側は駆動回路に接続され、マイクロコンピュータ制御ユニットの制御側は各々ＡＤ変換結果レジスタ、比較ユニット、検知距離調整可能レジスタおよびエミッタに接続されるデジタル表示式検知距離調整可能なゴミ箱の制御装置であって、その構成の要点は、デジタル表示管と、キーをさらに備え、キーの入力側はマイクロコンピュータ制御ユニットと接続し、マイクロコンピュータ制御ユニットの他方の出力側はデジタル表示管と接続し、キーで入力された信号はマイクロコンピュータ制御ユニットによって処理され、検知距離値を得て検知距離調整可能レジスタのレジスタ値とし、同時にマイクロコンピュータ制御ユニットは前記検知距離値または前記検知距離値を表すデジタル情報をデジタル表示管に出力して表示することである。
【０００６】
上記キーの更なる具体的な手段として、
前記キーは、テンキーであり、直接数値を入力することができ、マイクロコンピュータ制御ユニットを介して変換処理された後、検知距離調整可能レジスタに格納される。
【０００７】
または、前記キーは、選択入力キーであり、このとき、検知距離調整可能レジスタに距離を設定するための複数の記憶ユニットを格納するか、マイクロコンピュータ制御ユニットに複数の設定距離を格納し、キー操作時、そのキー入力内容または打鍵回数が対応する設定距離を選択できることで、検知距離調整可能レジスタ内で設定の記憶ユニットを現在の基準レジスタとして選択するか、マイクロコンピュータ制御ユニット内から選定された設定距離を検知距離として検知距離調整可能レジスタに格納する。
【０００８】
キーがテンキーの場合、各テンキーは１つの選択値（設定された検知距離を選択）を表す。キーが単一キーの場合、キーシーケンスに従って段階的に選択が行われ、初期値の場合、押すたびに次の選択値が段階的に選択され、最後の選択値に達した後、最初の選択値に戻る。検知距離調整可能レジスタまたはマイクロコンピュータ制御ユニット内に選択できる設定距離値を格納し、キー値またはキーシーケンスに１つずつ対応する。
【０００９】
前記デジタル表示管は、現在の検知距離値、または検知距離値の代表値を表示することができ、例えば、１０ｃｍの代表値は１である。このとき、キーを操作するたびにデジタル表示管に対応する数値を表示させるので、操作が簡単、便利、迅速で、外部の影響を受けず、片手で操作でき、ユーザーはデジタル表示管を介して現在の検知距離を非常に直感的に知ることができ、支障なく使用でき、市場の個々のニーズを満たすことができる。
【００１０】
本考案の更なる具体的な手段として、
ＡＤコンバータ、ＡＤ変換結果レジスタ、検知距離調整可能レジスタ、比較ユニットおよびマイクロコンピュータ制御ユニットは、同じマイクロコンピュータ制御チップに統合される。前記マイクロコンピュータ制御チップは、第１ポート４Ａと、第２ポート４Ｂと、第３ポート４Ｃと、第４ポート４Ｄと、第５ポート４Ｅ、を備え、第１ポート４Ａはエミッタと接続し、第２ポート４Ｂは増幅器の出力側と接続し、第３ポート４Ｃはデジタル表示管と接続し、第４ポート４Ｄは駆動回路と接続し、第５ポート４Ｅはキーと接続する。
【００１１】
前記エミッタは、赤外線エミッタで、受信管は赤外線受信管である。ＡＤ変換結果レジスタは、現在検出されている実際の距離を受信し、比較ユニットは前記実際距離を検知距離調整可能レジスタ内の値と比較し、設定された要件を満たした時、比較ユニットは信号をマイクロコンピュータ制御ユニットによって駆動回路に伝送し、駆動回路はモータ、減速機を順に介して前記ゴミ箱用蓋に接続され、ゴミ箱用蓋を駆動して開閉するために用いられる。
【００１２】
前記デジタル表示管は、一桁数字表示器であり、１〜Ｎの数字を表示し、ここで２≦Ｎ≦９である。
【００１３】
キーを１回押すと現在の検知距離の段階が表示され、その後、キーを押すたびにデジタル表示管に数字プラス１が表示され、最大検知距離Ｎ段に達した後、もう一度数字を押して１段に戻り、上記のサイクルを繰り返す。前記デジタル表示管が１を表示した場合、検知距離が１０ｃｍであることを意味する。デジタル表示管が２を表示した場合、検知距離が２０ｃｍであることを意味する。デジタル表示管が３を表示した場合、検知距離が３０ｃｍであることを意味する。デジタル表示管が４を表示した場合、検知距離が４０ｃｍであることを意味する。デジタル表示管が５を表示した場合、検知距離が５０ｃｍであることを意味する。デジタル表示管が６を表示した場合、検知距離が６０ｃｍであることを意味する。デジタル表示管が７を表示した場合、検知距離が７０ｃｍであることを意味する。デジタル表示管が８を表示した場合、検知距離が８０ｃｍであることを意味する。デジタル表示管が９を表示した場合、検知距離が９０ｃｍであることを意味する。デジタル表示管は、センシングウィンドウの下に取付けることができる。
【考案の効果】
【００１４】
上記をまとめると、本考案は、デジタル表示式検知距離調整可能なゴミ箱の制御装置を提供し、キーを介して直接入力または設定された検知距離を選択し、デジタル表示管を介して現在の検知距離を直感的に表示し、ユーザーが自分のニーズおよび使用環境の要件に応じて入力または選択の方式で検知位置の高さを調整することができるため、操作が簡単、便利、迅速で、外部の影響を受けず、片手で操作でき、ユーザーはデジタル表示管を介して現在の検知距離を非常に直感的に知ることができ、支障なく使用でき、市場の個々のニーズを満たすことができる。
【図面の簡単な説明】
【００１５】
【図１】本考案に係るデジタル表示式検知距離調整可能なゴミ箱の制御装置の回路ブロック図である。
【図２】本考案に係るデジタル表示式検知距離調整可能なゴミ箱の制御装置のデジタル表示管とマイクロコンピュータ制御チップとの接続の回路図である。
【考案を実施するための形態】
【００１６】
本考案を添付図面および実施例を参照して下記に説明するが、本考案の範囲を限定することは意図しない。
【実施例】
【００１７】
図１と図２を参照すると、デジタル表示式検知距離調整可能なゴミ箱の制御装置は、赤外線エミッタ１と、赤外線受信管２と、増幅器３と、マイクロコンピュータ制御チップ４と、ＡＤコンバータ４１と、ＡＤ変換結果レジスタ４２と、検知距離調整可能レジスタ４４と、比較ユニット４３と、マイクロコンピュータ制御ユニット４５と、デジタル表示管５と、キー６と、駆動回路７と、モータ８と、減速機９と、ゴミ箱用蓋１０と、センシングウィンドウ１１と、検知領域１２、を備え、前記デジタル表示式検知距離調整可能なゴミ箱の制御方式はアクティブ赤外線検知方式である。ＡＤコンバータ４１、ＡＤ変換結果レジスタ４２、検知距離調整可能レジスタ４４、比較ユニット４３およびマイクロコンピュータ制御ユニット４５は、マイクロコンピュータ制御チップ４に統合される。前記マイクロコンピュータ制御チップ４は、第１ポート４Ａと、第２ポート４Ｂと、第３ポート４Ｃと、第４ポート４Ｄと、第５ポート４Ｅ、を備える。第１ポート４Ａは、赤外線エミッタ１と接続し、第２ポート４Ｂは増幅器３の出力側と接続し、第３ポート４Ｃはデジタル表示管５と接続し、第４ポート４Ｄは駆動回路７と接続し、第５ポート４Ｅはキー６と接続する。駆動回路７は、モータ８、減速機９を順に介して前記ゴミ箱用蓋１０に接続され、ゴミ箱用蓋１０を駆動して開閉するために用いられる。赤外線受信管２は、前記増幅器３、ＡＤコンバータ４１、ＡＤ変換結果レジスタ４２を順に介して比較ユニット４３に接続され、前記比較ユニット４３も検知距離調整可能レジスタ４４と接続する。
【００１８】
本実施例では、検知距離を５段階に分けて調整するのを例とし、デジタル表示管５に１〜５が表示されると、各々１〜５段に対応し、「１」を表示した場合の検知距離は１０ｃｍである。「２」を表示した場合の検知距離は２０ｃｍである。「３」を表示した場合の検知距離は３０ｃｍである。「４」を表示した場合の検知距離は４０ｃｍである。「５」を表示した場合の検知距離は５０ｃｍである。マイクロコンピュータ制御チップの電源がオンの場合、デフォルトの検知距離は、３０ｃｍであり、スタンバイ状態においてプログラムはキー６が押されているか否かをスキャンし、キー６が押されていない場合、検知距離はデフォルト値の３０ｃｍを維持する。キー６が押されている場合、デジタル表示管５に現在の値は「３」と表示され、その後、キーを押すたびにデジタル表示管に数字プラス１が表示され、最大検知距離の５段に達すると、もう一度キーを押すと数字１と表示して１段に戻ることで、上記のサイクルを繰り返す。ある段まで押した時キー６が再度押されない場合、この段の数字が２秒表示した後に消灯（省電力のため）し、この段に対応する検知距離値は、デジタルルックアップテーブルプログラムの割り当て（すなわち、マイクロコンピュータ制御ユニット内から対応する検知距離値を選択すると共に検知距離調整可能レジスタ４４に割り当てる）を表示することによって調整を完了させる。その後、比較ユニット４３は、ＡＤ変換結果レジスタ４２の現在値と検知距離調整可能レジスタ４４内の検知距離値を比較することによってゴミ箱用蓋１０が開いているか否かをトリガし、ＡＤ変換結果レジスタ４２の値が検知距離値よりも小さい場合、ゴミ箱用蓋７は開かない。ＡＤ変換結果レジスタ４２の値が検知距離値よりも大きい場合、ゴミ箱用蓋は開かれる。障害物とセンシングウィンドウ１１との距離が遠いほど、反射して返ってくる信号は小さくなる。障害物とセンシングウィンドウ１１との距離が近くなり、反射して返ってくる信号は大きくなり、検知距離が遠くに設定されるほど、反射して返ってくる信号は小さい。
【００１９】
本実施例のデジタル表示管５とマイクロコンピュータ制御チップ４との接続の回路図については、図２を参照されたい。デジタル表示管５は、ＬＥＤ７セグメントの一桁デジタル表示管を用い、ＬＥＤ７セグメントデジタル表示管の７個のピンが電流制限抵抗Ｒ１〜Ｒ７を介して各々マイクロコンピュータ制御チップ４の４Ｃ１〜４Ｃ７ポートと接続し、デジタル表示管５がセンシングウィンドウの下に取付けられる。
【００２０】
上記は本考案の実施例に過ぎず、本考案の実用新案登録請求の範囲に従って行われたすべての均等な変更や修飾は、本考案の範囲内に含まれるものとする。
【００２１】
本考案の説明されていない部分は、従来技術と同じである。
【符号の説明】
【００２２】
１０  ゴミ箱用蓋
１１  センシングウィンドウ
１２  検知領域
１    赤外線エミッタ
２    赤外線受信管
３    増幅器
４    マイクロコンピュータ制御チップ
４１  ＡＤコンバータ
４２  ＡＤ変換結果レジスタ
４３  比較ユニット
４４  検知距離調整可能レジスタ
４５  マイクロコンピュータ制御ユニット
４Ａ  マイクロコンピュータ制御チップが赤外線エミッタから赤外線パルスの発射を制御するための出力制御ポート
４Ｂ  ＡＤコンバータのアナログ信号入力ポート
４Ｃ  マイクロコンピュータ制御チップがデジタル表示管を駆動して点灯するための出力ポート
４Ｄ  マイクロコンピュータ制御チップが駆動回路を制御するための出力ポートペア
４Ｅ  マイクロコンピュータ制御チップとキーを接続するための入力ポート
５    デジタル表示管
６    キー
７    駆動回路
８    モータ
９    減速機
【図１】
0003232652.tif 000003
【図２】
0003232652.tif 000004